(57)【要約】【課題】ハウジングや配線部などのコネクタ関連部品と蓄電素子との間の電気的接続及び物理的接続を簡素化することができるコネクタを実現する。【解決手段】コネクタ１０は、ハウジング１０Ｂと配線部１１と蓄電素子１２とを備える。蓄電素子１２は、ハウジング１０Ｂに保持される形態でハウジング１０Ｂに取り付けられる。蓄電素子１２は、配線部１１を介して供給される電力により充電され、配線部１１を介して放電する。【選択図】図２
2020187904.tif 000002
【特許請求の範囲】
【請求項１】
ハウジングと、
前記ハウジングに一端側が保持される１以上の電線又は１以上の端子を有する配線部と、
前記ハウジングに保持される形態で前記ハウジングに取り付けられる蓄電素子と、
を備え、
前記蓄電素子は、前記配線部を介して供給される電力により充電され、
前記配線部を介して放電するコネクタ。
【請求項２】
前記蓄電素子を放電する放電動作を行う放電回路と、
前記放電回路の前記放電動作を制御する制御回路と、
を備える請求項１に記載のコネクタ。
【請求項３】
前記配線部の少なくとも一部の前記電線又は前記端子は、バックアップ対象の負荷への電力供給経路の一部として構成されるものであり、
前記蓄電素子は、前記電力供給経路を介して前記負荷への放電を行う請求項１又は請求項２に記載のコネクタ。
【請求項４】
前記ハウジングは、複数の接続部を有し、
複数の前記接続部のそれぞれが、複数の前記負荷への電力路を構成する複数の被接続部のそれぞれに対して着脱自在に接続される構成をなし
前記蓄電素子は、各々の前記接続部に設けられた各々の前記配線部を介して各々の前記負荷へと放電を行う請求項３に記載のコネクタ。
【請求項５】
前記配線部は、前記ハウジングに一端側が保持されるとともに前記ハウジングから引き出される前記電線を１以上有し、
前記蓄電素子は、前記ハウジングの外面部又は内面部に対して固定され、
前記蓄電素子と前記ハウジングと前記電線とが一体的に構成され、
前記ハウジングは、前記ハウジングよりも前記負荷側の電力路を構成する相手側コネクタに対して着脱自在とされている請求項３又は請求項４に記載のコネクタ。
【発明の詳細な説明】
【技術分野】
【０００１】
本開示は、コネクタに関するものである。
【背景技術】
【０００２】
シフトバイワイヤ（ＳＢＷ）やステアリングバイワイヤ（ＳｔｒＢＷ）などの車両用の負荷は、電源失陥時にも動作が求められるため、電源失陥時にこれらの負荷に電力を供給するための構成が必要となる。この種の技術としては、特許文献１で開示されるような車両用のバックアップ装置があり、この装置は、シフトバイワイヤ制御システムにバックアップ電力を供給し得る構成となっている。
【先行技術文献】
【特許文献】
【０００３】
【特許文献１】特開２０１８−１３１３６号公報
【特許文献２】特開２０１８−６２２５３号公報
【発明の概要】
【発明が解決しようとする課題】
【０００４】
ところで、バックアップ電源などの用途として蓄電素子を設ける場合、蓄電素子と他部品との電気的接続及び物理的接続をより簡易にすることが望ましい。例えば、蓄電素子を単独構造として個別に設ける構成にすると蓄電素子から負荷までの導電路が長くなったり、蓄電素子を保持するための専用構造によって部品点数の増大や大型化を招いたりする懸念がある。
【０００５】
そこで、本開示では、ハウジングや配線部などのコネクタ関連部品と蓄電素子との間の電気的接続及び物理的接続を簡素化することができるコネクタを提供する。
【課題を解決するための手段】
【０００６】
本開示のコネクタは、
ハウジングと、
前記ハウジングに一端側が保持される１以上の電線又は１以上の端子を有する配線部と、
前記ハウジングに保持される形態で前記ハウジングに取り付けられる蓄電素子と、
を備え、
前記蓄電素子は、前記配線部を介して供給される電力により充電され、
前記配線部を介して放電する。
【発明の効果】
【０００７】
本開示によれば、ハウジングや配線部などのコネクタ関連部品と蓄電素子との間の電気的接続及び物理的接続を簡素化することができるコネクタを実現することができる。
【図面の簡単な説明】
【０００８】
【図１】図１は、実施形態１のコネクタが用いられる車両用電源システムの構成を概略的に示すブロック図である。
【図２】図２は、実施形態１のコネクタ及び被接続部が接続されていない状態を示す斜視図である。
【図３】図３は、実施形態１のコネクタ及び被接続部が接続された状態を示す斜視図である。
【図４】図４は、実施形態２のコネクタが用いられる車両用電源システムの構成を概略的に示すブロック図である。
【図５】図５は、実施形態２のコネクタを概略的に示す斜視図である。
【発明を実施するための形態】
【０００９】
［本開示の実施形態の説明］
最初に本開示の実施態様を列記して説明する。
（１）本開示のコネクタは、ハウジングと、ハウジングに一端部が保持されハウジングから引き出された１以上の電線又は１以上の端子を有する配線部と、ハウジングに保持される形態でハウジングに取り付けられる蓄電素子とを備える構成をとり得る。そして、蓄電素子は、配線部を介して供給される電力により充電され、配線部を介して放電するように構成し得る。
このコネクタは、ハウジングに蓄電素子が保持される形態でハウジングと蓄電素子とを一体的に構成することができるため、蓄電素子を保持するための専用構造を削減することができ、ハウジングや電線などのコネクタ関連部品と蓄電素子との間の物理的接続を簡素化することができる。しかも、ハウジングに保持される蓄電素子は、ハウジングに組み込まれた配線部を介して充電及び放電することができるため、蓄電素子からコネクタまでの配線を削減することができる。よって、コネクタ関連部品と蓄電素子との間の電気的接続をも簡素化することができる。
【００１０】
（２）本開示のコネクタは、蓄電素子を放電する放電動作を行う放電回路と、放電回路の放電動作を制御する制御回路と、を備えていてもよい。
このように構成されていれば、コネクタ関連部品と蓄電素子との間の物理的接続及び電気的接続のみならず、放電回路や制御回路を保持するための物理的接続やこれら回路とコネクタ関連部品と蓄電素子との間の電気的接続をも簡素化することができる。
【００１１】
（３）本開示のコネクタにおいて、配線部の少なくとも一部の電線又は端子は、バックアップ対象の負荷への電力供給経路として構成されていてもよい。蓄電素子は、その電力供給経路を介して負荷へ放電を行い得る構成であってもよい。
このように構成されていれば、蓄電素子をバックアップ電源として用いることができる構成を、電気的接続及び物理的接続を簡素化した形態で実現できる。特に、蓄電素子から負荷への電力供給経路となる電線又は端子までの配線等を省略又は簡略化することができる。
【００１２】
また、コネクタにおいて蓄電素子が一体化されていれば、様々な負荷に対応しやすい汎用性のあるバックアップ電源となり得る。
【００１３】
（４）本開示のコネクタにおいて、ハウジングは、複数の接続部を有していてもよく、複数の接続部のそれぞれが、複数の負荷への電力路を構成する複数の被接続部のそれぞれに対して着脱自在に接続される構成をなしていてもよい。蓄電素子は、各々の接続部に設けられた各々の配線部を介して各々の負荷へと放電を行う構成であってもよい。
このように構成されていれば、蓄電素子から各電力路（各負荷へ電力を供給するための電力路）までの構成（配線等）をいずれも簡素化することができるため、電気的接続及び物理的接続を簡素化する効果が一層高まる。
【００１４】
（５）本開示のコネクタにおいて、配線部は、ハウジングに一端側が保持されるとともにハウジングから引き出される電線を１以上有していてもよい。蓄電素子は、ハウジングの外面部又は内面部に対して固定されていてもよく、蓄電素子とハウジングと電線とが一体的に構成されていてもよい。ハウジングは、このハウジングよりも負荷側の電力路を構成する相手側コネクタに対して着脱自在とされていてもよい。
このように構成されていれば、蓄電素子とハウジングと電線とが一体的に構成された上記コネクタを、相手側コネクタよりも負荷側の構成から分離させることが可能となり、メンテナンスなどにおいて有利になる。例えば、負荷側の一部が故障して交換等を行う場合に、蓄電素子を含む上記コネクタは交換が不要となる。
［本開示の実施形態の詳細］
【００１５】
＜実施形態１＞
〔コネクタが用いられる電源システムの概要〕
実施形態１に係るコネクタ１０は、例えば、図１に示す車両用電源システム１（以下、単に電源システム１ともいう）に用いられる。電源システム１は通常時において主電源５０からの電力を電線１１Ａを介してバックアップ対象の負荷５１（以下、単に負荷５１ともいう）に供給し、主電源５０の失陥時にはコネクタ１０に設けられた蓄電素子１２からの電力を充放電回路部３０を介して負荷５１に対して供給する構成をなす。なお、図１では、通常時に主電源５０から充放電回路部３０を介さずに負荷５１に電力を供給する経路（主となる電力路）については省略している。
【００１６】
主電源５０は、例えば鉛バッテリなどの公知の車載バッテリとして構成されている。主電源５０の高電位側の端子は入力路７０に接続されており、入力路７０には主電源５０からの出力電圧が印加される。入力路７０は、コネクタ１０の配線部１１の一部である電力路電線１１Ｂに電気的に接続されており、主電源５０からの電力を電力路電線１１Ｂに供給し得る構成とされている。電力路電線１１Ｂは配線部１１を構成する複数の電線１１Ａの一部であり、負荷５１への電力供給経路として構成されるものである。
【００１７】
負荷５１は、公知の車載用電気部品として構成されており、例えば、シフトバイワイヤシステムやステアリングバイワイヤシステムにおけるＥＣＵ（Electronic Control Unit）やアクチュエータ等、一方の電源が失陥した場合でも電力供給が望まれる電気部品が好適例である。負荷５１には主電源５０や蓄電素子１２から電力が供給される経路である電力路７１が電気的に接続されている。電力路７１にはコネクタ１０の接続部１０Ａが着脱自在な被接続部５１Ａが設けられている。負荷５１は、通常時には主電源５０からの電力供給に基づいて動作し、異常時（主電源５０の失陥時など）には、蓄電素子１２からの電力供給に基づいて動作する。
【００１８】
〔コネクタの全体構成〕
コネクタ１０は、図１、２に示すように、ハウジング１０Ｂ、配線部１１、蓄電素子１２、及び制御回路１３を有している。ハウジング１０Ｂは実装部１０Ｃ及び接続部１０Ａを有している。
【００１９】
ハウジング１０Ｂは、合成樹脂で形成されており、一方向に長い略直方体形状をなしている。ハウジング１０Ｂの長手方向の一方側の部位は蓄電素子１２や制御回路１３等が取り付けられる実装部１０Ｃとして構成される。実装部１０Ｃには複数の挿入穴１０Ｄが形成されている。ハウジング１０Ｂの長手方向の他方側の部位は被接続部５１Ａに接続される接続部１０Ａとして構成される。接続部１０Ａの上端面（上下は、図１における上側下側である）には被接続部５１Ａの被係止部（図示せず）に係止する係止部１０Ｅが設けられている。
【００２０】
配線部１１は複数の電線１１Ａ及び複数の端子１１Ｃを有している。図２には一部の端子１１Ｃのみを例示している。各電線１１Ａの一端部には端子金具（図示せず）が接続されている。各電線１１Ａの一端部の端子金具はハウジング１０Ｂの実装部１０Ｃの各挿入穴１０Ｄに挿入されており、ハウジング１０Ｂに保持されている。つまり、各電線１１Ａはハウジング１０Ｂに一端部が保持され他端部側がハウジング１０Ｂから引き出された状態にされている。配線部１１の一部の電線１１Ａは電力路電線１１Ｂとして主電源５０の高電位側の端子に接続される入力路７０に電気的に接続されている（図１参照。）。
【００２１】
蓄電素子１２は、例えば、全固体電池、リチウムイオンキャパシタ、又はリチウムイオン電池等の公知の蓄電手段によって構成される。蓄電素子１２は、充電回路３０Ａ及び放電回路３０Ｂを有する充放電回路部３０の充放電路３０Ｃに電気的に接続され、充放電回路部３０によって充放電がされ得る構成とされている。図２で示すコネクタ１０ではハウジング１０Ｂの外面部を電気基板としている。具体的には、ハウジング１０Ｂの実装部１０Ｃの外周面（外壁面）に配線が形成され、この配線に蓄電素子１２の端子が電気的に接続されるように蓄電素子１２がハウジング１０Ｂに取り付けられている。つまり、蓄電素子１２がハウジング１０Ｂの外面部（外壁面）に直接的に載置される構成で取り付けられている。また、ハウジング１０Ｂに対して蓄電素子１２を保持する他の形態として、例えば、ハウジング１０Ｂの外面部とは別体の電気基板に実装された状態にされていてもよく、ハウジング１０Ｂの実装部１０Ｃに電気基板が保持される形態でハウジング１０Ｂに取り付けられていてもよい。つまり、蓄電素子１２がハウジング１０Ｂの外面部の外側の平面状に形成された部分に対して他部材（電気基板）を介して間接的に固定されていてもよい。具体的には、ハウジング１０Ｂにおいて、板状に構成された１つの壁部（板状部）の外側の板面（外壁面）に直接的に載置される形で蓄電素子１２が固定される。
【００２２】
ハウジング１０Ｂには、充放電回路部３０が設けられている。充放電回路部３０は充電回路３０Ａ及び放電回路３０Ｂを有している。充電回路３０Ａは主電源５０が接続された入力路７０に電気的に接続された電力路電線１１Ｂ（一部の電線１１Ａ）を介して主電源５０からの電力が供給され、この電力に基づいて蓄電素子１２を充電する充電動作を行う。つまり、蓄電素子１２は配線部１１の一部の電力路電線１１Ｂを介して供給される電力により充電される。また、放電回路３０Ｂは蓄電素子１２から電力路端子１１Ｄを介して放電する放電動作を行う。電力路端子１１Ｄは複数の端子１１Ｃの一部である。
【００２３】
充電回路３０Ａは、ＤＣＤＣコンバータなどの公知の充電回路として構成されており、主電源５０からの電力に基づいて充電動作を行い、充放電路３０Ｃを介して蓄電素子１２に電力を供給する。充電回路３０Ａは、制御回路１３から充電信号と充電停止信号とを受け得る構成をなし、制御回路１３から充電信号が与えられている場合（充電指示がなされている場合）に充放電路３０Ｃに対して所定電圧を印加する充電動作を行い、制御回路１３から充電停止信号が与えられている場合（充電停止指示がなされている場合）に充放電路３０Ｃに対する出力を停止する構成をなす。
【００２４】
放電回路３０Ｂは、充電回路３０Ａからの出力電路（充放電路３０Ｃ）と電力路端子１１Ｄとの間を通電状態又は非通電状態に切り替える構成をなす。電力路端子１１Ｄは放電回路３０Ｂに電気的に接続される。具体的には、被接続部５１Ａにおいて、負荷５１に電気的に接続された相手側端子が設けられる。そして、接続部１０Ａが被接続部５１Ａに接続すると電力路端子１１Ｄが相手側端子に接続し、この相手側端子を介して負荷５１に電気的に接続される。電力路端子１１Ｄの他端は接続部１０Ａが被接続部５１Ａに接続されることによって、負荷５１の電力路７１に対して電気的に接続される。放電回路３０Ｂは、例えば、充放電路３０Ｃと電力路端子１１Ｄとの間に介在するスイッチ素子（ＭＯＳＦＥＴ等）等によって構成されていてもよく、ＤＣＤＣコンバータ等によって構成されていてもよい。
【００２５】
放電回路３０Ｂは、制御回路１３から放電許可信号が与えられている場合（放電指示がなされている場合）に放電動作を行い、蓄電素子１２からの電力に基づいて負荷５１に対する放電を行う。また、放電回路３０Ｂは、制御回路１３から放電停止信号が与えられている場合（放電停止指示がなされている場合）には放電動作を停止し、充放電路３０Ｃと電力路端子１１Ｄとの間の導通を遮断する。このように、電力路端子１１Ｄは蓄電素子１２から負荷５１へ放電する際の電力供給経路として構成され、蓄電素子１２は、後述するバックアップ動作時等において電力路端子１１Ｄを介して負荷５１へ放電を行う。
【００２６】
充放電回路部３０（充電回路３０Ａ及び放電回路３０Ｂ）は、例えば、ハウジング１０Ｂの外周面に配線を形成し、この配線に充電回路３０Ａ及び放電回路３０Ｂを構成する各素子の端子が電気的に接続するように充電回路３０Ａ及び放電回路３０Ｂをハウジング１０Ｂに取り付けられる。また、ハウジング１０Ｂに対して充放電回路部３０（充電回路３０Ａ及び放電回路３０Ｂ）を保持する他の形態として、例えば、充放電回路部３０を電気基板に実装された状態にし、ハウジング１０Ｂに保持される形態でハウジング１０Ｂに取り付けてもよい。
【００２７】
制御回路１３は、例えばマイクロコンピュータを主体として構成されており、ＣＰＵ（Central Processing Unit）などの演算装置、ＲＯＭ（Read Only Memory）又はＲＡＭ（Random Access Memory）などのメモリ、Ａ／Ｄ変換器等を有している。制御回路１３は、図示しない電圧検出回路等によって電力路電線１１Ｂの電圧値、及び電力路端子１１Ｄに接続された導電路の電圧値を把握し得る構成とされている。電圧検出回路は公知の電圧検出回路として構成される。電圧検出回路は、例えば、制御回路１３と共にハウジング１０Ｂに保持される形態でハウジング１０Ｂに取り付けられる（図２では図示せず。）。制御回路１３は充放電回路部３０による充電動作及び放電動作を制御する機能を有する。具体的には、制御回路１３は充電回路３０Ａに対して充電信号又は充電停止信号を与える機能と、放電回路３０Ｂに対して放電信号又は放電停止信号を与える機能とを有する。制御回路１３は充電回路３０Ａが蓄電素子１２を充電する充電動作、及び放電回路３０Ｂが蓄電素子１２から放電する放電動作を制御する。
【００２８】
例えば、制御回路１３はバックアップ動作の条件が成立後に、蓄電素子１２から電力路端子１１Ｄを介して負荷５１に対して電力を供給するように放電回路３０Ｂの動作を制御する。バックアップ動作の条件とは、例えば、主電源５０に電気的に接続された入力路７０の電圧が所定の閾値以下に低下したこととしてもよく、他の条件としてもよい。
【００２９】
こうして構成されたコネクタ１０は、図３に示すように、接続部１０Ａが負荷５１側に設けられた被接続部５１Ａに接続される。具体的には、コネクタ１０は、接続部１０Ａに設けられた係止部１０Ｅが被接続部５１Ａに形成された被係止部（図示せず）に係止することによって、電力路端子１１Ｄと電力路７１とが電気的に接続された状態が保持される。
【００３０】
負荷５１の故障等により負荷５１の交換が必要な場合、先ず、コネクタ１０の係止部１０Ｅと被接続部５１Ａの被係止部とを係止しない状態にして、接続部１０Ａを被接続部５１Ａから取り外す。このとき、蓄電素子１２は、配線部１１及び接続部１０Ａと共に被接続部５１Ａから外れる。そして、故障した負荷５１、電力路７１、及び被接続部５１Ａを車両から取り外し、新たな負荷５１、電力路７１、及び被接続部５１Ａを車両に取り付ける。そして、接続部１０Ａの係止部１０Ｅを被接続部５１Ａの被係止部に係止することによって、電力路端子１１Ｄと電力路７１とが電気的に接続された状態にされる。
【００３１】
次に、本構成の効果を例示する。
本開示のコネクタ１０は、
ハウジング１０Ｂと、ハウジング１０Ｂに一端部が保持されハウジング１０Ｂから引き出された複数の電線１１Ａ及び端子１１Ｃを有する配線部１１と、ハウジング１０Ｂに保持される形態でハウジング１０Ｂに取り付けられる蓄電素子１２とを備える。そして、蓄電素子１２は、配線部１１を介して供給される電力により充電され、配線部１１を介して放電するように構成されている。
このコネクタ１０は、ハウジング１０Ｂに蓄電素子１２が保持される形態でハウジング１０Ｂと蓄電素子１２とを一体的に構成することができるため、蓄電素子１２を保持するための専用構造を削減することができ、ハウジング１０Ｂや配線部１１などのコネクタ関連部品と蓄電素子１２との間の物理的接続を簡素化することができる。しかも、ハウジング１０Ｂに保持される蓄電素子１２は、ハウジング１０Ｂに組み込まれた配線部１１を介して充電及び放電することができるため、蓄電素子１２からコネクタ１０までの配線を削減することができる。よって、コネクタ関連部品と蓄電素子１２との間の電気的接続をも簡素化することができる。
【００３２】
本開示のコネクタ１０は、蓄電素子１２を放電する放電動作を行う放電回路３０Ｂと、放電回路３０Ｂの放電動作を制御する制御回路１３とを備えている。
このように構成されていれば、コネクタ関連部品と蓄電素子１２との間の物理的接続及び電気的接続のみならず、放電回路３０Ｂや制御回路１３を保持するための物理的接続やこれら回路とコネクタ関連部品と蓄電素子１２との間の電気的接続をも簡素化することができる。
【００３３】
本開示のコネクタ１０において、配線部１１の一部の端子１１Ｃは、バックアップ対象の負荷への電力供給経路として構成されている。蓄電素子１２はその電力供給経路を介して負荷５１へ放電を行い得る構成である。
このように構成されていれば、蓄電素子１２をバックアップ電源として用いることができる構成を電気的接続及び物理的接続を簡素化した形態で実現できる。特に、蓄電素子１２から負荷５１への電力供給経路までの配線等を省略又は簡略化することができる。
【００３４】
また、コネクタ１０において蓄電素子１２が一体化されているため、様々な負荷に対応しやすい汎用性のあるバックアップ電源となり得る。
【００３５】
本開示のコネクタ１０において、配線部１１は、ハウジング１０Ｂに一端側が保持されるとともにハウジング１０Ｂから引き出される電線１１Ａを１以上有している。蓄電素子１２はハウジング１０Ｂの外面部に対して固定され、蓄電素子１２とハウジング１０Ｂと電線１１Ａとが一体的に構成されている。ハウジング１０Ｂは、このハウジング１０Ｂよりも負荷５１側の電力路を構成する被接続部５１Ａに対して着脱自在とされている。
このように構成されていれば、蓄電素子１２とハウジング１０Ｂと電線１１Ａとが一体的に構成されたコネクタ１０を、被接続部５１Ａよりも負荷５１側の構成から分離させることが可能となり、メンテナンスなどにおいて有利になる。例えば、負荷５１側の一部が故障して交換等を行う場合に、蓄電素子１２を含むコネクタ１０は交換が不要となる。
【００３６】
＜実施形態２＞
次に、実施形態２に係るコネクタ２０について、図４、５を参照しつつ説明する。コネクタ２０はハウジング２０Ｂの接続部２０Ａが２つ設けられている点等が実施形態１と異なる。その他の構成については実施形態１と同じであるため、同じ構成については、同一符号を付し、構造、作用及び効果の説明は省略する。
【００３７】
実施形態２に係るコネクタ２０は、図４、５に示すように、例えば、図４に示す電源システム２に用いられ、ハウジング２０Ｂに接続部２０Ａが２つ設けられている。なお、図４において、主電源５０から充放電回路部３０を介さずに負荷５２，５３に電力を供給する経路（主となる電力路）は省略している。各接続部２０Ａは互いに異なる方向に伸びて実装部２０Ｃに連結している（図５参照。）。コネクタ２０の配線部１１は複数の電線１１Ａと複数の端子１１Ｃとを有する。図４では複数の電線１１Ａの内の一部のみを示し、図５では電線１１Ａを省略している。また、図５には一部の端子１１Ｃのみを例示している。なお、電線１１Ａは、ハウジング２０Ｂからどのように引き出されていてもよい。
【００３８】
端子１１Ｃの内の一部（２つの電力路端子１１Ｄ）の一端は放電回路３０Ｂに電気的に接続される。２つの電力路端子１１Ｄは各接続部２０Ａのそれぞれに１つずつが配置されている。コネクタ２０の各接続部２０Ａのそれぞれには別々の負荷５２，５３の被接続部５２Ａ，５３Ａが接続される。負荷５２には主電源５０やコネクタ２０の蓄電素子１２から電力を供給する電力路７２が電気的に接続されている。電力路７２にはコネクタ２０の一方の接続部２０Ａが着脱自在な被接続部５２Ａが設けられている。負荷５３には主電源５０や蓄電素子１２から電力を供給する電力路７３が電気的に接続されている。電力路７３にはコネクタ２０の他方の接続部２０Ａが着脱自在な被接続部５３Ａが設けられている。つまり、コネクタ２０は複数の負荷５２，５３のそれぞれに対して電力を供給する電力路７２，７３に設けられた被接続部５２Ａ，５３Ａに着脱自在な複数の接続部２０Ａを備え、複数の接続部２０Ａは複数の被接続部５２Ａ，５３Ａのそれぞれに対応して分岐する。
【００３９】
被接続部５２Ａには負荷５２に電気的に接続された相手側端子が設けられる。一方の接続部２０Ａが被接続部５２Ａに接続すると、この接続部２０Ａに設けられた電力路端子１１Ｄ（一部の端子１１Ｃ）が被接続部５２Ａの相手側端子に接続し、この相手側端子を介して負荷５２に電気的に接続される。同様に、被接続部５３Ａには負荷５３に電気的に接続された相手側端子が設けられる。他方の接続部２０Ａが被接続部５３Ａに接続すると、この接続部２０Ａに設けられた電力路端子１１Ｄ（一部の端子１１Ｃ）が被接続部５３Ａの相手側端子に接続し、この相手側端子を介して負荷５３に電気的に接続される。
【００４０】
実装部２０Ｃには、各接続部２０Ａが設けられた反対側の面のそれぞれに複数の挿入穴２０Ｄが形成されている。各挿入穴２０Ｄには電線１１Ａの一端部に接続された端子金具が挿入されており、端子金具がハウジング２０Ｂに保持されている（図示せず。）。
【００４１】
次に、本構成の効果を例示する。
本開示のコネクタ２０において、ハウジング２０Ｂは、複数の接続部２０Ａを有し、複数の接続部２０Ａのそれぞれが、複数の負荷５２，５３への電力路を構成する複数の被接続部５２Ａ，５３Ａのそれぞれに対して着脱自在に接続される構成をなしている。蓄電素子１２は各々の接続部２０Ａに設けられた各々の配線部１１を介して各々の負荷５２，５３へと放電を行う構成である。
このように構成されていれば、蓄電素子１２から各電力路（各負荷へ電力を供給するための電力路）までの構成（配線等）をいずれも簡素化することができるため、電気的接続及び物理的接続を簡素化する効果が一層高まる。
【００４２】
＜他の実施形態＞
本構成は上記記述及び図面によって説明した実施形態に限定されるものではなく、例えば次のような実施形態も本発明の技術的範囲に含まれる。
【００４３】
実施形態１では、蓄電素子１２をハウジング１０Ｂの外面部に直接的又は間接的に取り付ける構造を例示したが、蓄電素子をハウジングの内面部に取り付けてもよい。具体的には、ハウジングに蓄電素子を収容する収容部を形成し、この収容部に蓄電素子を収容し、平板状の蓋部をハウジングの構成要素として設け、蓋部によって蓄電素子を覆う構成としてもよい。
【００４４】
実施形態１、２では、電力路電線１１Ｂを介して蓄電素子１２に充電し、電力路端子１１Ｄを介して放電する構成を開示しているが、電力路端子を介して蓄電素子に充電し、電力路電線を介して放電する構成でもよく、電力路電線を介して蓄電素子に充電し、電力路電線を介して放電する構成でもよい。
【００４５】
実施形態１では、制御回路１３、充電回路３０Ａ、及び放電回路３０Ｂがコネクタ１０に取り付けられる形態を例示したが、制御回路、充電回路、及び放電回路をコネクタに取り付けない形態であってもよく、いずれかをコネクタに取り付ける形態であってもよい。具体的には、制御回路、充電回路、及び放電回路を電気基板に実装して、この電気基板をコネクタでない車両のいずれかに取り付け、この電気基板と配線部の１部の電線とを電気的に接続することによってコネクタの蓄電素子の充電動作、及び放電動作を制御してもよい。
【００４６】
実施形態１では、制御回路１３がマイクロコンピュータを主体として構成されていたが、マイクロコンピュータ以外の複数のハードウェア回路によって実現されてもよい。
【００４７】
実施形態２では、接続部２０Ａが２つ設けられているが、接続部の数を３つ以上としてもよい。
【００４８】
今回開示された実施の形態は全ての点で例示であって制限的なものではないと考えられるべきである。本発明の範囲は、今回開示された実施の形態に限定されるものではなく、特許請求の範囲によって示され、特許請求の範囲と均等の意味及び範囲内での全ての変更が含まれることが意図される。
【符号の説明】
【００４９】
１０，２０…コネクタ
１０Ａ，２０Ａ…接続部
１０Ｂ，２０Ｂ…ハウジング
１０Ｃ，２０Ｃ…実装部
１０Ｄ，２０Ｄ…挿入穴
１０Ｅ…係止部
１１…配線部
１１Ａ…電線
１１Ｂ…電力路電線（電力供給経路）
１１Ｃ…端子（配線部）
１１Ｄ…電力路端子（電力供給経路）
１２…蓄電素子
１３…制御回路
３０…充放電回路部
３０Ａ…充電回路
３０Ｂ…放電回路
３０Ｃ…充放電路
５０…主電源
５１，５２，５３…負荷（バックアップ対象の負荷）
５１Ａ，５２Ａ，５３Ａ…被接続部（相手側コネクタ）
７０…入力路
７１，７２，７３…電力路
【図１】
2020187904.tif 000003
【図２】
2020187904.tif 000004
【図３】
2020187904.tif 000005
【図４】
2020187904.tif 000006
【図５】
2020187904.tif 000007